(57)【要約】【課題】スタンプから引きに機能を切り換える際の粘着剤の無駄をなくすことができるテープディスペンサを提供すること。【解決手段】ケース１５，１６内に、粘着剤を有するテープを巻装する供給リールと、使用済みテープを巻き取る回収リールと、供給及び回収リール側のギアと伝動ギアとからなる巻取機構と、供給及び回収リールを支持するインナープレートと、引く際、テープを案内するロールチップ１２及びスタンプの際、テープを押し付けるスタンプ圧板１３と、ばね部材の付勢力によって常時外側に移動され、インナーケースに設けられた係止突起と係合してロールチップ及びスタンプ圧板を外側に露呈する引き作業位置と、係止突起との係合が解除されたスタンプ作業位置に切り換え可能なスタンププレート１４と、スタンプ作業位置から引き作業位置に切り換える際に、回収リールへのテープの巻き取りを回避する巻取回避機構４００と、を具備する。【選択図】  図６Ｂ
2014014970.tif 000002
【特許請求の範囲】
【請求項１】
一端に開口部を有する分解及び組立可能なケースと、
上記ケース内に配設され、粘着剤が塗布されたテープを巻装する供給リールと、
上記ケース内に配設され、上記供給リールから引き出されて使い終わったテープを巻き取る回収リールと、
上記供給リール及び回収リールにそれぞれ装着されるギアと伝動ギアとからなる巻取機構と、
上記供給リールと回収リールを支持するインナープレートと、
上記ケースの開口部を介して外側に設けられ、引く際、上記テープを案内するロールチップ及び上記ロールチップの近傍に配設され、スタンプの際、テープを押し付けるスタンプ圧板と、
上記ケースの開口部を介して内外側に収納及び引き出し可能であって、ばね部材の付勢力によって常時上記ロールチップ及びスタンプ圧板の外側に移動され、上記インナーケースに設けられた係止突起と係合して上記ロールチップ及びスタンプ圧板を外側に露呈する引き作業位置と、上記係止突起との係合が解除されたスタンプ作業位置に切り換え可能なスタンププレートと、
上記スタンプ作業位置から引き作業位置に切り換える際のスタンププレートの収納時に、上記回収リールへのテープの巻き取りを回避する巻取回避機構と、
を具備することを特徴とするテープディスペンサ。
【請求項２】
請求項１記載のテープディスペンサにおいて、
上記スタンププレートは、収納時に上記ロールチップ及びスタンプ圧板との干渉を回避する枠状の受台と、上記回収リールのテープ巻き取り方向のみ回収リールと連動して回転する中間ギアと噛合するラックと、上記インナーケースに設けられた係止突起に係脱可能に係合する係止ピンと、を具備することを特徴とするテープディスペンサ。
【請求項３】
請求項１又は２記載のテープディスペンサにおいて、
上記巻取回避機構は、上記回収リール側に装着され、供給リール側の伝動ギアと噛合して回転する回収リールギアの巻き取り方向のみ回転可能な中間ギアと、回収リールの内周側に配設され、回収リールと共に回転する円筒状のスリップコアと、上方から上記スリップコアの内周面に摺接可能に貫通する回避操作棒と、下方から上記ケース及びインナープレートに設けられた孔と上記回収リールギアを貫通して上記中間ギアに連結される回避ボタンと、上記スリップコアと中間ギアとの間に縮設されるばね部材と、を具備し、上記ばね部材の付勢力に抗して上記回避ボタンを押し込むことにより、上記スタンププレートに設けられたラックと中間ギアとの噛合を解除することを特徴とするテープディスペンサ。
【請求項４】
請求項３記載のテープディスペンサにおいて、
上記回避操作棒の上端のヘッド部の外周面と上記スリップコアの内周面が、互いに摺接可能な下方に向かって縮径するテーパ面にて形成されている、ことを特徴とするテープディスペンサ。
【発明の詳細な説明】
【技術分野】
【０００１】
本発明はテープディスペンサに関するもので、更に詳細には、ライン状転写のための引く機能とスポット状転写のためのスタンプ機能を備え、多様な接着作業に応じて選択して使えるテープディスペンサに関するものである。
【背景技術】
【０００２】
一般的に家庭や事務室などでよく使用されている粘着テープは紙やその他のものを貼るのに使われるマルチテープの一種として、普通は透明なアクリル素材のケース内にロール状に巻かれた状態で使用されている。
【０００３】
このようなロール状の粘着テープは、先端にカッターが取り付けられているケース内に収容され、指で直接粘着テープを適度の量を引き出し、カッターに粘着テープを当てると同時に、押さえ付けることによって切断して使うようになっている。
【０００４】
このようなロール状の粘着テープにおいて、使用者が粘着テープを引っ張ってケース自体に形成された鋸歯状のカッターを使い切断する場合、粘着テープの切断面がきれいではなかったり、テープが垂れることが発生する懸念がある。
【０００５】
そのため、最近は粘着剤が塗布されているテープを供給リールと回収リールで供給及び回収しながら粘着剤のみ対象にしているものに貼るタイプのテープディスペンサが主に使用されている。
【０００６】
例えば、粘着剤が塗布されているテープを供給する供給リールと、粘着剤を使い終わったテープを回収する回収リールをテープディスペンサに装着し、修正テープの使い方のように、一方に押し付けながら対象物に粘着剤を貼ると同時に、使い終わったテープを回収するタイプのテープディスペンサが広く使用されている。
【０００７】
このようなテープディスペンサは既存のロール状粘着テープのデメリットを大体解消する利便性と使用上、便利であるため最近はその需要が大変増えている傾向にある。
【０００８】
そこで、出願人は、このようなテープディスペンサを基本タイプにしている上に、ここにいくつか機能、例えば、スポット状転写のためのスタンプ機能などを加え、粘着作業時の利便性を図ることができるなど、その機能が向上したテープディスペンサを開発した（例えば、特許文献１参照）。
【０００９】
特許文献１に記載の粘着転写具によれば、ばね部の付勢力に抗して転写ヘッドを被転写面に押圧して、粘着剤の被転写面へのスポット転写（スポット作業）と、転写ヘッドを被転写面に押圧した状態で移動させて、粘着剤の被転写面へのライン状の転写（引き作業）とを選択的に行うことができる。
【先行技術文献】
【特許文献】
【００１０】
【特許文献１】特開２００９−２４１３４４号公報（特許請求の範囲、図３，図６，図７）
【発明の概要】
【発明が解決しようとする課題】
【００１１】
しかしながら、特許文献１に記載のものは、使用者がライン状転写のための引く作業と、スポット状転写のためのスタンプ作業を必要に応じて選択し使えるメリットを提供しているが、スタンプから引き作業に切り換える際、粘着剤が塗布されているテープが繰り出されて、粘着剤の無駄が発生する懸念がある。
【００１２】
本発明は上記事情に鑑みてなされたもので、スタンプを必要に応じて選択して使用でき、スタンプから引きに機能を切り換える際の粘着剤の無駄の発生をなくすことができるテープディスペンサを提供することを目的とする。
【課題を解決するための手段】
【００１３】
このような目的を達成するために本発明に係るテープディスペンサは、一端に開口部を有する分解及び組立可能なケースと、上記ケース内に配設され、粘着剤が塗布されたテープを巻装する供給リールと、上記ケース内に配設され、上記供給リールから引き出されて使い終わったテープを巻き取る回収リールと、上記供給リール及び回収リールにそれぞれ装着されるギアと伝動ギアとからなる巻取機構と、上記供給リールと回収リールを支持するインナープレートと、上記ケースの開口部を介して外側に設けられ、引く際、上記テープを案内するロールチップ及び上記ロールチップの近傍に配設され、スタンプの際、テープを押し付けるスタンプ圧板と、上記ケースの開口部を介して内外側に収納及び引き出し可能であって、ばね部材の付勢力によって常時上記ロールチップ及びスタンプ圧板の外側に移動され、上記インナーケースに設けられた係止突起と係合して上記ロールチップ及びスタンプ圧板を外側に露呈する引き作業位置と、上記係止突起との係合が解除されたスタンプ作業位置に切り換え可能なスタンププレートと、上記スタンプ作業位置から引き作業位置に切り換える際のスタンププレートの収納時に、上記回収リールへのテープの巻き取りを回避する巻取回避機構と、を具備することを特徴とする（請求項１）。
【００１４】
本発明において、上記スタンププレートは、収納時に上記ロールチップ及びスタンプ圧板との干渉を回避する枠状の受台と、上記回収リールのテープ巻き取り方向のみ回収リールと連動して回転する中間ギアと噛合するラックと、上記インナーケースに設けられた係止突起に係脱可能に係合する係止ピンと、を具備するのが好ましい（請求項２）。
【００１５】
また、本発明において、上記巻取回避機構は、上記回収リール側に装着され、供給リール側の伝動ギアと噛合して回転する回収リールギアの巻き取り方向のみ回転可能な中間ギアと、回収リールの内周側に配設され、回収リールと共に回転する円筒状のスリップコアと、上方から上記スリップコアの内周面に摺接可能に貫通する回避操作棒と、下方から上記ケース及びインナープレートに設けられた孔と上記回収リールギアを貫通して上記中間ギアに連結される回避ボタンと、上記スリップコアと中間ギアとの間に縮設されるばね部材と、を具備し、上記ばね部材の付勢力に抗して上記回避ボタンを押し込むことにより、上記スタンププレートに設けられたラックと中間ギアとの噛合を解除する方が好ましい（請求項３）。この場合、上記回避操作棒の上端のヘッド部の外周面と上記スリップコアの内周面が、互いに摺接可能な下方に向かって縮径するテーパ面にて形成されている方が好ましい（請求項４）。
【発明の効果】
【００１６】
請求項１から３に記載の発明によれば、スタンプを必要に応じて選択して使用でき、スタンプから引きに機能を切り換える際の粘着剤の無駄の発生をなくすことができる。請求項４に記載の発明によれば、スタンプ時の適切なギアのトルクを確保できる。
【図面の簡単な説明】
【００１７】
【図１】本発明に係るテープディスペンサの一例を示す斜視図である。
【図２Ａ】本発明のテープディスペンサの上方から見た分解斜視図である。
【図２Ｂ】本発明のテープディスペンサの下方から見た分解斜視図である。
【図２Ｃ】本発明のテープディスペンサの一部を組み付けた状態を示す分解斜視図である。
【図３Ａ】本発明における巻取機構及び巻取回避機構を示す上方から見た分解斜視図である。
【図３Ｂ】本発明における巻取機構及び巻取回避機構の下方から見た分解斜視図である。
【図４Ａ】本発明に係るテープディスペンサのスタンプ作業位置の状態を示す概略構成図である。
【図４Ｂ】本発明に係るテープディスペンサの引き作業位置の状態を示す概略構成図である。
【図４Ｃ】上記引き作業位置からスタンプ作業位置へ切り換える状態を示す概略構成図である。
【図５Ａ】本発明における巻取回避機構の作動状態を示す断面図である。
【図５Ｂ】本発明における巻取回避機構の巻き取り回避状態を示す断面図である。
【図６Ａ】本発明に係るテープディスペンサの引き作業状態を示す概略側面図である。
【図６Ｂ】本発明に係るテープディスペンサのスタンプ作業状態を示す概略側面図である。
【発明を実施するための形態】
【００１８】
以下、本発明に係るテープディスペンサについて、添付図面を参照して詳細に説明する。上記テープディスペンサは、図１、図２Ａ〜図２Ｃに示すように、一端に開口部１を有する分解及び組立可能な上ケース１５及び下ケース１６と、上下ケース１５，１６内に配設され、粘着剤が塗布されたテープ１００を巻装する供給リール１０と、上下ケース１５，１６内に配設され、供給リール１０から引き出されて使い終わった使用済みのテープを巻き取る回収リール１１と、供給リール１０及び回収リール１１にそれぞれ装着される供給リールギア３１，回収リールギア３４と伝動ギア３３ａ，３３ｂとからなる巻取機構３００と、供給リール１０と回収リール１１を支持する上下インナープレート２１，２２と、上下ケース１５，１６の開口部１を介して外側に設けられ、引く際、テープ１００を圧着するロールチップ１２及びロールチップ１２の近傍に配設され、スタンプの際、テープ１００を押し付けるスタンプ圧板１３と、上下ケース１５，１６の開口部１を介して内外側に収納及び引き出し可能であって、ばね部材４９の付勢力によって常時ロールチップ１２及びスタンプ圧板１３の外側に移動され、下インナーケース２２に設けられた係止突起３７ａと係合してロールチップ１２及びスタンプ圧板１３を外側に露呈する引き作業位置と、係止突起３７ａとの係合が解除されたスタンプ作業位置に切り換え可能なスタンププレート１４と、スタンプ作業位置から引き作業位置に切り換える際のスタンププレート１４の収納時に、回収リール１１へのテープ１００の巻き取りを回避する巻取回避機構４００と、を具備する。
【００１９】
上記テープディスペンサは紙などの接着対象物に粘着剤をライン状に連続して貼る機能と、スポット状に貼るスタンプ機能をなすことができる形態になっていて、このような二つの機能を持つことにより用途に合わせ選択使える利便性がある。
【００２０】
このために、テープディスペンサの構成部品を収容する部材として上ケース１５と下ケース１６が備えられ、上ケース１５と下ケース１６は相互間の内側の端の方を接した状態で嵌める形で所定のスペースを設けることになり、必要に応じては分解もできるようになっている。
【００２１】
例えば、上ケース１５の先端部両側に設けられたフック１７ａと後端部に設けられた段差１８ａが、下ケース１６の先端部両側に設けられたフック段差１８ｂと後端部に設けられたフック１７ｂにそれぞれ係合することで、上ケース１５と下ケース１６を組み立てることができるようになり、上ケース１５の先端部にある両側のフック部１７ａを内側に押し込むことで、簡単に上ケース１５と下ケース１６を外して分解することができる。
【００２２】
このような上ケース１５と下ケース１６が相互組み立てられた状態では先端の一部が空いて開口部１が形成され、この開口部１を通してスタンププレート１４を上下ケース１５，１６内への収納や引き出しによって引きやスタンプ作業が行えるようになっている。
【００２３】
下ケース１６の底部には後述する巻取回避機構４００を構成する回避ボタン１９の挿入のためのボタン孔２０ａが形成されており、このボタン孔２０ａを貫通する回避ボタン１９がケースの内側に進入し、回収リール１１側にある後述するギア類と結合できるようになる。
【００２４】
このような上ケース１５と下ケース１６の内部には供給リール１０及び回収リール１１と、各種ギア類などを支持する手段として上インナープレート２１と下インナープレート２２が配設されている。この際、上インナープレート２１と下インナープレート２２はそれぞれ 上ケース１５と下ケース１６側に接するように固定される。上記上インナープレート２１は、供給リール１０と回収リール１１が回転時、リール２１，１１の上端側を支持する。
【００２５】
このような上インナープレート２１の長手方向の中間部と後端部には、それぞれ円形の孔２１ａ，２１ｂが設けられている。中間部に設けられている孔２１ａのエッジには前後側二つのリールフック２３ａ，２３ｂが形成されており、これらリールフック２３ａ，２３ｂが回収リール１１の回収コア４４の上端部に形成されているフック係止部２４に回転自在に係止するようになっている。これにより回収リール１１はリールフック２３ａ，２３ｂに係止した状態で回転案内を受けるフック係止部２４を回転中心軸にして回転できるようになる。
【００２６】
一方、上記供給リール１０には、上端に同心円弧状の突出部１０ａが設けられており、この突出部１０ａが上インナープレート２１の後端部に設けられた孔２１ｂに、回転自在に嵌合されている。
【００２７】
上記上インナープレート２１の先端部には、上インナープレート２１と直角をなす略四角形状のパッド受け２５が形成されている。このパッド受け２５の前面にはスタンプ作業を行うスタンプ圧板１３が取り付けられるようになっている。スタンプ圧板１３はソフトな素材にて形成され、スタンプ作業時にテープ１００を一定の圧力で押さえ付ける役割を果たす。
【００２８】
また、上インナープレート２１の先端部には、パッド受け２５の横手に上下二つのロール溝２７が形成されており、このロール溝２７には引き作業を行うロールチップ１２が装着されるようになっている。この場合、ロールチップ１２は両端に突出する軸がロール溝２７に回転自在に支持されており、引き作業時にテープ１００を連続的に押さえ付ける部分として機能する。
【００２９】
これにより、使用者がロールチップ１２を接着対象物に当て、押さえ付けながら一方向に動かすと、ロールチップ１２が回転しながらロール面に接触されているテープを接着対象物１１０の方に押すことになり、テープ１００に塗布されている粘着剤が接着対象物の方に転写することができる。
【００３０】
ここで、上記ロールチップ１２とスタンプ圧板１３の一方の辺と並んでいる位置から若干後ろにずれた位置にロールチップ１２が配置されることで、引き若しくはスタンプの際、ロールチップ１２とスタンプ圧板１３のテープ相互間に干渉を与えることがなくなる。
【００３１】
例えば、引く方向で使う時に、スタンプ圧板３の下にロールチップ１２が位置し引きができるようになっていて、スタンプ時にはロールチップ１２が接着対象物から離隔されて当らないため、正確なスタンプ転写を行うことができる。
【００３２】
また、上記上インナープレート２１には、回収されるテープの進行を案内する手段としてのテープガイド２９が備えられている。このテープガイド２９は上インナープレート２１の底面の一方端でテープの進行経路に沿って形成される垂直壁にて形成され、引き作業又はスタンプ作業を終えた空テープを回収リール１１側に正確に案内できるようになっている。
【００３３】
上記下インナープレート２２は、供給リール１０と回収リール１１の回転時、リール２２，１０の下端側を支持する。この下インナープレート２２の長手方向の中間部と後端部には、それぞれ回収リール１１と 供給リール１０の配置するための凹所２２ａ，２２ｂが設けられ、各凹所２２ａ，２２ｂに回収リール１１と供給リール１０が位置することで、回収リール１１は前側に、供給リール１０はその後ろ側に配置される。
【００３４】
特に、供給リール１０が配置される凹所２２ｂには、上端にスリットが設けられた弾力性を有する軸３０が垂直に形成されており、この軸３０で供給リール１０が後述する供給リールギア３１等と一緒に嵌合された状態で、供給リール１０は軸３０に支持され、この軸３０を中心に回転することになる。
【００３５】
一方、回収リール１１が設置される凹所２２ａには、円形のボタン孔２０ｂが形成されており、このボタン孔２０ｂを貫通する回避ボタン１９が回収リール１１側に進入することができるようになっている。
【００３６】
また、上記供給リール１０の配置場所と回収リール１１の配置場所の間には、下インナープレート２２の幅方向に並設される二つの補助軸３２が形成されており、各補助軸３２には後述する伝動ギア３３ａ，３３ｂがそれぞれ回転自在に支持（装着）されている。
【００３７】
ここで、上記伝動ギア３３ａ，３３ｂは、供給リール１０と同軸上の供給リールギア３１と、回収リール１１と同軸上の回収リールギア３４間に動力を伝達するギアとして、相互に噛合する伝動関係を持つことになる。これら伝動ギア３３ａ，３３ｂと供給リールギア３１及び回収リールギア３４によって巻取機構が構成されている。これにより供給リールギア３１の回転が伝動ギア３３ａ，３３ｂを媒介として回収リールギア３４の回転につながるようになり、結局供給リール１０と回収リール１１が連動して回転できるようになる。
【００３８】
また、上記下インナープレート２２の供給リール１０を配置する凹所２２ｂには、軸３０を中心部においてその周囲を囲んで形成されるラチェットギア３５ａが設けられている。このラチェットギア３５ａは供給リール１０の逆回転を防ぎ、テープ１００の供給の誤作動を防ぐ役割を果たす。
【００３９】
例えば、供給リール１０に一体装着される供給リールギア３１の底面には弾性変形可能な二つのラチェット突起３６ａが設けられている。このラチェット突起３６ａは下インナープレート２２に形成されているラチェットギア３５ａに一方向に係合することになり、供給リールギア３１は時計方向(テープが繰り出される方向)にのみ回転することができ、逆時計方向(テープが巻き取られる方向)には回転が拘束されることになる。つまり、供給リールギア３１と一体回転する供給リール１０が逆回転方向(テープを再び巻きつける方向)に回転されることを防ぐことができるようになる。
【００４０】
特に、上記下インナープレート２２は段差のある略クランク形状のプレートになっていて、この段差のある形状により上に屈曲されている先端部分の下面には前後に一定の間隔をおいて配置される二つのワンタッチ方式のロッキング/アンロッキング用の係止突起３７ａ，３７ｂが形成されている。
【００４１】
上記係止突起３７ａ，３７ｂはスタンププレート１４に設けられた弾性変形可能な係止ピン２６の先端部にピン軸と直交状に設けられた係止頭部２６ａと係合する役割を果たす部分として、開口部１側に向かう前方の前部くさび形突起部３７ｃと後方の後部くさび形溝部３７ｄを有する“＜”形状に形成されており、前部くさび形突起部３７ｃを通過する係止ピン２６を下インナープレート２２の幅方向の一方（内側）に反らし、また後部くさび形の溝部３７ｄに係止ピン２６の係止頭部２６ａを係止（係合）するようになっている。
【００４２】
この場合、図４Ａ〜図４Ｃに示すように、前方に位置されるロッキング用の係止突起３７ａの中心、つまり前部くさび形突起部３７ｃの頂点と後方に位置されるアンロッキング用の係止突起３７ｂの中心はプレートの幅方向に偏倚した位置に設けられ、スタンププレート１４の反復的な進入時、係止ピン２６の係止頭部２６ａが、一回目は前方の係止突起３７ａの前部くさび形突起部３７ｃを通過して後部くさび形の溝部３７ｄに係止（係合）してスタンププレート１４をケース内に収納する。これにより、ロールチップ１２及びスタンプ圧板１３が露呈してテープ引き作業位置をとることができる（図４Ｂ参照）。この状態から更にスタンププレート１４をケース内に押し込むと、係止ピン２６の係止頭部２６ａは後部くさび形の溝部３７ｄとの係止（係合）が解かれ、後方の係止突起３７ｂ前部くさび形突起部３７ｃによって下インナープレート２２の幅方向の内側に変形し、この状態でスタンププレート１４の押し込みを解除すると、スタンププレート１４と下インナープレート２２との間に縮設されたばね部材６０の付勢力によってスタンププレート１４はスタンプ位置に復帰する（図４Ｃ，図４Ａ参照）。
【００４３】
この場合、図４Ａ〜図４Ｃに示すように、下インナープレート２２の段差部２２ｃには前方に向かってばねガイド軸２２ｄが突設されている。また、スタンププレート１４の先端部に設けられた枠状の受台２８の内面側には、ばねガイド軸２２ｄが挿入可能なばね受け部２８ａが突設され、ばねガイド軸２２ｄを包囲するように配設されるばね部材である圧縮コイルばね６０の一端が段差部２２ｃに当接し、他端がばね受け部２８ａの先端側に設けられたばね受け面２８ｂに当接した状態で縮設されている。これにより圧縮コイルばね６０の弾発力（付勢力）によってスタンププレート１４が常時引き出し方向すなわちスタンプ位置に移動する。
【００４４】
上記スタンププレート１４の先端部に設けられる受台２８を矩形枠状とすることにより、スタンプ時の水平状態を維持して安定してスタンプが行うことができる。つまり、受け台２８がスタンプ時にスタンプ圧板１３より先立って接着対象物に安定的に基準をつけることになり、揺れなどの流動することなく、また正確な位置にスタンプが行われることになる。
【００４５】
なお、このような受け台２８は、矩形状の受け台２８の少なくとも一辺の面積を拡張させることにより、スタンププレート１４を押し上げるとき指と接触される面積を広くできるので、容易に上げられるようにする役割もすることになる。
【００４６】
上記供給リール１０は粘着剤が塗布されているテープを供給する部分として、伝動ギア３３ａと噛合して回転する供給リールギア３１と、供給するテープを巻回している供給コア３８と、供給リールギア３１と供給コア３８を一体的に連結する連結部材３９とで主に構成されている。
【００４７】
この場合、連結部材３９は、供給コア３８の中心孔（スプライン孔）部に嵌合されるスプライン軸部と、この軸部の下端から外向きに延在する円形板部とを具備し、２箇所に円弧状の切欠きを介して二つの弾性変形可能な結合片４０ａが形成されている。
【００４８】
上記のように構成することにより、供給コア３８の中心孔部内に連結部材３９のスプライン軸部を嵌合し、円形板部を供給リールギア３１の上面に形成されている円形の嵌合溝４１内に挿入して二つの結合片４０ａを嵌合溝４１の内周面に圧接して発生する摩擦力によって、供給コア３８と供給リールギア３１とを連結部材３９を介して一体にして、供給コア３８と供給リールギア３１が一緒に回転する。
【００４９】
このように連結部材３９を媒介とし一体結合される供給リールギア３１と供給コア３８は下インナープレート２２の供給リール１０の配置場所にある軸３０に嵌合された状態で設置される。これにより引き若しくはスタンプ時に、テープを供給するために供給リールギア３１及び供給コア３８は軸３０を中心に回転しながらテープを繰り出すことができる。
【００５０】
上記回収リール１１は粘着剤が取れている使用済みのテープを巻き取る部分として、供給リール１０と連動して回転されるようになっている。この場合、図３Ａ及び図３Ｂに示すように、回収リール１１は供給リール１０側との動力を伝達する伝動ギア３３ｂと噛合して回転する回収リールギア３４と、スタンププレート１４の長手方向に沿う一側に設けられたラック４２と噛合して回転する中間ギア４３と、空テープを巻き取る回収コア４４と、回収コア４４の中心を貫通しながら回避ボタン１９を含める回収リールギア３４側に締結され回収コア４４と、回収リールギア３４及び中間ギア４３を一体的に連結する回避操作棒４５と、回避操作棒４５と回収コア４４間に介在されスリップ摩擦を通し回転力を伝達するスリップコア４６などで構成される。
【００５１】
上記回収リールギア３４の上面には弾力変形可能な二つのラチェット突起３６ｂが形成されており、中間ギア４３の底面に形成されているラチェットギア３５ｂにラチェット突起３６ｂを噛合することにより、一方向（テープの供給方向）では回収リールギア３４と中間ギア４３が一緒に回転でき、また逆方向では空回りをするようになっている。例えば、スタンププレート１４の収納動作時には、中間ギア４３と回収リールギア３４が一緒に回転しながらテープ１００の供給ができ、スタンププレート１４の引出し動作時には中間ギア４３のみ空回りをするようになっている。
【００５２】
上記回避操作棒４５は、軸部分４５ｂの上端部に略逆截頭円錐状をなす下方に向かって縮径のテーパ面５０ａを有するヘッド部分４５ａを具備している。この回避操作棒４５は、軸部分４５ｂがスリップコア４６の内側を貫通して中間ギア４３の中心孔部と回収リールギア３４の中心孔部に挿入され、下方から中間ギア４３の中心孔部と回収リールギア３４の中心孔部に一体に設けられた回避ボタン１９と軸方向に摺動可能に連結されている（図５Ａ及び図５Ｂ参照）。これにより回避操作棒４５は回収リールギア３４と連動して回転することができる。
【００５３】
スリップコア４６は外周面に適宜間隔をおいて複数（例えば３個）の垂直突起４７が設けられており、これら垂直突起４７が回収コア４４の中心孔の内周面に形成された垂直突起４８に係合されて、回収コア４４と一緒に回転するようになっている。なお、スリップコア４６の内周面には下方に向かって縮径のテーパ面５０ａが形成されている。
【００５４】
また、図４Ａ及び図４Ｂに示すように、回避操作棒４５のヘッド部分４５ａはスリップコア４６の内周面に摺接可能に挿入され、スリップコア４６の底部と中間ギア４３の上面との間にはばね部材である圧縮コイルばね４９が縮設されている。これにより圧縮コイルばね４９の弾発力の付勢によってスリップコア４６が押圧されてスリップコア４６の内周テーパ面５０ｂと回避操作棒４５のヘッド部分４５ａのテーパ面５０ａとが圧接される。
【００５５】
上方からスリップコア４６のテーパ面５０ｂに摺接可能に貫通する回避操作棒４５と、下方から下ケース１６及び下インナープレート２２に設けられた孔２０ａ，２０ｂと回収リールギア３４を貫通して中間ギア４３に連結される回避ボタン１９と、スリップコア４６と中間ギア４３との間に縮設されるばね部材である圧縮コイルばね４９とで巻取回避機構４００が構成されている。この巻取回避機構４００により、圧縮コイルばね４９の付勢力に抗して回避ボタン１９を押し込むことにより、スリップコア４６と回避操作棒４５との接触を解除することができると同時に、ラック４２と中間ギア４３の噛合を解除することができる（図５Ｂ参照）。巻取回避機構４００の作動上の特性については後に詳細に説明することにする。
【００５６】
上記のように回避操作棒４５とスリップコア４６を媒介とし一体的に結合される回収リールギア３４、中間ギア４３及び回収コア４４は、下インナープレート２２の回収リールの配置場所に位置されると共に、上インナープレート２１側に支持され、引き・スタンプ時に回転しながら空テープを巻き取ることができるようになっている。
【００５７】
したがって、前後に回収リール１１と供給リール１０が設置された状態で供給リール１０側から前の方に繰り出されるテープ１００は先端部にあるロールチップ１２とスタンプ圧板１３を経由した後、再度方向を変え後ろ側に繰り出されながら、回収リール１１側に巻き取られ、その際、供給リール１０と回収リール１１が相互反対方向に回転をすることで、連続的なテープの繰り出し・巻き付け動作がスムーズに行われることになる。特に、上記スリップコア４６と回避操作棒４５は相互間の断面を摩擦させ回収リールの回転のためのトルクを作り出すことができるようになる。
【００５８】
また、上述したように、圧縮コイルばね４９の弾発力の付勢によってスリップコア４６が押圧されてスリップコア４６の内周テーパ面５０ｂと回避操作棒４５のヘッド部分４５ａのテーパ面５０ａとが圧接されるので、テーパ面５０ｂ，５０ａ相互間の摩擦面を広く確保することができる。したがって、回転に必要なトルク値を上げられ、結局引きだけではなく、特にスタンプ時の中間ギア４３の回転力がスリップコア４６へ十分伝わりスタンプ作業がより安定的に行うことができるようになる。
【００５９】
また、本発明では機能を切り換える際、例えばスタンプから引きへと切り換える際、無駄の発生を防ぐ手段としてギア類を回避させることができる巻取回避機構４００を具備する。この巻取回避機構４００について説明する。
【００６０】
上述したように、圧縮コイルばね４９の弾発力の付勢によってスリップコア４６が押圧されてスリップコア４６の内周テーパ面５０ｂと回避操作棒４５のヘッド部分４５ａのテーパ面５０ａとが圧接されている。
【００６１】
また、スタンプ時、スタンププレート１４の上昇作動によりラック４２と噛合している中間ギア４３が回転されると、中間ギア４３と共に回収リールギア３４が回転し、回収リールギア３４に噛合する伝動ギア３３ｂが回転する一方、中間ギア４３と連結する回避ボタン１９及び回避操作棒４５を介して回収コア４４が回転する。これにより供給リール１０側でテープが１ステップ供給され、これに伴って回収リール１１側で空テープを巻き取ることができる。
【００６２】
スタンプの際、１回のスタンプ後、スタンププレート１４が下降作動するときには、ラック４２と噛合している中間ギア４３が空回りをすることになるため、テープの供給が行われなくなる。
【００６３】
一方、スタンプ作業の途中、引きへと機能を切り換える際、使用者が回避ボタン１９を押し込むと、図５Ｂに示すように、圧縮コイルばね４９の付勢力に抗して回避操作棒４５、中間ギア４３及び回収リールギア３４全体が上昇することになり、この状態でスタンププレート１４を上昇させても、ラック４２と中間ギア４３が噛合しなくなるため、中間ギア４３の回転力が発生しなくなるのと同時に、伝動ギア３３ｂ側に回転力が伝わらなくなるため、供給リール１０側では新しいテープの供給が行われなくなり、結局スタンプ・引き機能の切り替えの際、テープの無駄が発生するのを防ぐことができるようになる。
【００６４】
一方、本発明では引き作業と共にスタンプ作業ができるようにする手段を備える。そのために、一方側面の後ろ側のラック４２を持ちながらスタンプ時、回収リール１１側の中間ギア４３と噛み合い連動されテープを１ステップずつ供給されるようにするスタンププレート１４が設けられ、このときのスタンププレート１４はケース内外側に収納及び引出され上ケース１５と下ケース１６の長手方向に平行して往復移動ができるように設置される。
【００６５】
すなわち、上記スタンププレート１４は下ケース１６と下インナープレート２２の間でスライドができる構造となっており、上下ケース１５，１６に設けられている開口部１を通し直線往復運動ができるようになり、スタンププレート１４と下インナープレート２２との間に介設される圧縮コイルばね６０の弾発力（付勢力）によって常にケース外側(前の方)へ移動されている。これにより、スタンププレート１４は圧縮コイルばね６０の弾力支持を受けながら直線往復運動をすることで、常に前の方へと引出される力を受けられることになる。
【００６６】
次に、上記のように構成されたテープディスペンサの動作態様について、図４Ａ〜図４Ｃ、図５Ａ，図５Ｂ，図６Ａ及び図６Ｂを参照して説明する。
【００６７】
図６Ａに示すように、引き作業をする場合は、まず、スタンププレート１４をケース内側に押し込みスタンププレート１４の干渉を受けないようにしなければならない。
【００６８】
スタンププレート１４を使用者が指で押し上げると、スタンププレート１４の係止ピン２６の係止頭部２６ａが係止突起３７ａの前方のくさび形突起部３７ｃを通過して後部くさび形溝部３７ｄに係止（係合）してロッキング状態になり、スタンププレート１４が収まった状態、つまり上に上がっている状態が固定され、ロールチップ１２及びスタンプ圧板１３が露呈してテープ引き作業位置をとる（図４Ｂ参照）。
【００６９】
ここで、スタンププレート１４をそのまま押し上げるようになると、スタンププレート１４にあるラック４２と回収リール１１にある中間ギア４３間の噛み合いにより、回収リール１１が回転され、粘着剤が付いているテープが繰り出されて無駄が発生することになる。そこで、このときには回避ボタン１９を押し込みラック４２から回収リールギア３４及び中間ギア４３を回避させた後、スタンププレート１４を押し上げると、回収リールギア３４及び中間ギア４３は回転しないので、望まないテープの無駄が発生するのを防ぐことができる。
【００７０】
回避ボタン１９の押し込みを解除した状態で、紙などの接着対象物１１０にロールチップ１２を当て押し付けながら一方向に移動させると、テープが加圧されながらテープに塗布されていた粘着剤が接着対象物１１０へ貼付されながら連続して転写が行われる。このときの空テープはケース内側に進行され回収リール１１に回収される。
【００７１】
つまり、ロールチップ１２を加圧しながら移動させる力により供給リール１０側ではテープが繰り出され、また供給リール１０と連動される回収リール１１も回転されながら粘着剤が取れている空テープを巻き取ることができる。
【００７２】
図６Ｂに示すように、スタンプ作業のためにはスタンププレート１４を元の位置に戻さなければならない。
【００７３】
つまり、ケース内側に入っていた(上に上がっていた)スタンププレート１４をもう一度同じ方向すなわちケース内に押し込むと、係止ピン２６の係止頭部２６ａは後部くさび形の溝部３７ｄとの係止（係合）が解かれ、後方の係止突起３７ｂ前部くさび形突起部３７ｃによって下インナープレート２１の幅方向の内側に変形し、この状態でスタンププレート１４の押し込みを解除すると、スタンププレート１４と下インナープレート２２との間に縮設されたばね部材６０の付勢力によってスタンププレート１４はスタンプ位置に復帰する（図４Ｃ，図４Ａ参照）。
【００７４】
この状態で、スタンププレート１４の受け台２８を接着対象物１１０に当てた後、上下ケース１５，１６を下へと押さえると、スタンプ圧板１３によりテープ１００が加圧され一定の四角い模様の粘着剤が接着対象物１１０に貼り付けられる。
【００７５】
１回の押し込み動作一度で一箇所に粘着剤を転写させることができ、このような１回押し込み操作によって、スタンププレート１４に設けられたラック４２と回収リール１１側の中間ギア４３間の伝動により回収リール１１と供給リール１０が連動されながら１ステップずつ、つまり、一定の回転角度量に応じた長さのテープを供給することができるようになる。
【００７６】
つまり、スタンププレート１４の直線往復運動により回収リール１１が回転されながら、一定の回転角度量に応じた長さの空テープを巻き取ることができ、これと同時に回収リール１１と連動される供給リール１０の回転により巻き取られただけのテープが供給リール１０で繰り出される。
【００７７】
このとき、ラック４２の復帰時、つまり中間ギア４３を回転させてから再び下りてくるとき中間ギア４３のラチェットにより空回りするため、巻取機構３００の他のギアを回転させずにスリップ作用によってスタンププレート１４は正常的に復帰することができる。また、１回の押し込み動作後スタンププレート１４は圧縮コイルばね６０の弾発力（付勢力）により元の状態になる。押し込み動作を繰り返すことで、希望する位置に簡単にスタンプ作業ができる。
【００７８】
上記のように、本発明では使用者が用途に合わせ引き・スタンプを選択し使えるテープディスペンサを提供することで、事務など使用上の利便性を図ることができるのは勿論、スタンプから引きに機能を切り換える際の粘着剤の無駄の発生をなくすことができ、スタンプ作業をより確実にできる。
【符号の説明】
【００７９】
１  開口部
１０  供給リール
１１  回収リール
１２  ロールチップ
１３  スタンプ圧板
１４  スタンププレート
１５  上ケース
１６  下ケース
１９  回避ボタン
２１  上インナープレート
２２  下インナープレート
２６  係止ピン
２６ａ  係止頭部
３１  供給リールギア
３３ａ，３３ｂ  伝動ギア
３４  回収リールギア
３５ａ，３５ｂ  ラチェットギア
３６ａ，３６ｂ  ラチェット突起
３７ａ，３７ｂ  ロッキング／アンロッキング用係止突起
３７ｃ  前部くさび形突起部
３７ｄ  後部くさび形溝部
３８  供給コア
４２  ラック
４３  中間ギア
４４  回収コア
４５  回避操作棒
４５ａ  ヘッド部分
４５ｂ  軸部分
４６  スリップコア
４９  圧縮コイルばね（ばね部材）
５０ａ，５０ｂ  テーパ面
６０  圧縮コイルばね（ばね部材）
１００  テープ
１１０  接着対象物
３００  巻取機構
４００  巻取回避機構
【図１】
2014014970.tif 000003
【図２Ａ】
2014014970.tif 000004
【図２Ｂ】
2014014970.tif 000005
【図２Ｃ】
2014014970.tif 000006
【図３Ａ】
2014014970.tif 000007
【図３Ｂ】
2014014970.tif 000008
【図４Ａ】
2014014970.tif 000009
【図４Ｂ】
2014014970.tif 000010
【図４Ｃ】
2014014970.tif 000011
【図５Ａ】
2014014970.tif 000012
【図５Ｂ】
2014014970.tif 000013
【図６Ａ】
2014014970.tif 000014
【図６Ｂ】
2014014970.tif 000015